(57)【要約】【課題】使用者が自ら動作しなくても、簡単な構成により、待機時消費電力を低減化し、電池の長寿命化を図り得る電池搭載機器及びリモートコントローラを提供する。【解決手段】電池搭載機器１０には、筐体の内部に電池１２と電池電力消耗部品である制御回路１４及び赤外線ＬＥＤ１５とが搭載されている。筐体を持ち上げたときに、電池１２と電池電力消耗部品との導通が確保されるオンとなる一方、筐体を載置面に載置したときに、電池１２と電池電力消耗部品との導通が遮断されるオフとなる機械式スイッチ１３が設けられている。【選択図】図１
2014011508.tif 000002
【特許請求の範囲】
【請求項１】
筐体の内部に電池と電池電力消耗部品とが搭載された電池搭載機器において、
上記筐体を持ち上げたときに、上記電池と電池電力消耗部品との導通が確保されるオンとなる一方、上記筐体を載置面に載置したときに、上記電池と電池電力消耗部品との導通が遮断されるオフとなる機械式スイッチが設けられていることを特徴とする電池搭載機器。
【請求項２】
前記機械式スイッチは、
前記筐体の内部において隙間を有して互いに同一水平面上に設けられ、かつ一方が電池に接続され他方が電池消耗部品に接続された２つの導電板と、
上記２つの導電板の隙間及び上記筐体の下面に設けられた開口部を移動自在に設けられた棒状の導電板接触部材とを備え、
上記導電板接触部材は、
上記２つの導電板の上側に配置されて隙間よりも寸法が大きい導電性の上拡大部と、
上記上拡大部の下端から下方に延びて、上記隙間よりも寸法が小さい狭小部とを有する延設部とからなっていると共に、
上記筐体を持ち上げたときに、導電板接触部材における延設部の下端が上記筐体の下面に設けられた開口部から突出するように、該導電板接触部材が自重により下方移動して上拡大部が隙間を介して２つの導電板に跨ることによって上記電池と電池電力消耗部品との導通が確保されるオンとなる一方、
上記筐体を載置面に載置したときに、導電板接触部材における延設部の下端が載置面に当接することにより、導電板接触部材が押圧により上方移動して狭小部が２つの導電板の隙間に位置することによって上記電池と電池電力消耗部品との導通が遮断されてオフとなることを特徴とする請求項１記載の電池搭載機器。
【請求項３】
前記導電板接触部材には、上拡大部の直下に設けられた狭小部の直下に、隙間よりも寸法が大きい導電性の下拡大部が設けられていることを特徴とする請求項２記載の電池搭載機器。
【請求項４】
前記上拡大部及び下拡大部は、球状になっていることを特徴とする請求項３記載の電池搭載機器。
【請求項５】
前記上拡大部には、前記２つの導電板の隙間に嵌入可能な切り欠き部が形成されていることを特徴とする請求項４記載の電池搭載機器。
【請求項６】
前記機械式スイッチは、筐体を持ち上げるときに全部が片手に触れることのない少なくとも２箇所に設けられていることを特徴とする請求項１〜５のいずれか１項に記載の電池搭載機器。
【請求項７】
請求項１〜６のいずれか１項に記載の電池搭載機器を備えたリモートコントローラであって、
筐体の上面に操作部を備えていることを特徴とするリモートコントローラ。
【発明の詳細な説明】
【技術分野】
【０００１】
本発明は、リモコンを始め、ワイヤレスマウス、又は携帯電話及びスマートホン等の電池を内蔵した電池搭載機器及びリモートコントローラに関するものであり、詳細には、電池搭載機器及びリモートコントローラにおける待機時消費電力の低減化に関する。
【背景技術】
【０００２】
テレビやビデオ等のリモコンを始め、ワイヤレスマウス、又は携帯電話及びスマートホン等の電池を内蔵した電池搭載機器では電池の消耗をいかに抑制するかが共通の課題となっている。すなわち、テレビやビデオ等のリモコン等の電池搭載機器では、リモコン操作をしなくても制御回路に電流が流れているので、常に電力が消費されている。
【０００３】
そこで、この課題を解決するために、従来、これらの電池搭載機器の内部に振動センサや加速度センサを内蔵し、使用者のボタン操作無しに、本体の移動を検出して電源をＯＦＦするものが知られている。しかし、この技術では、センサを用いる必要がありコストアップに繋がっている。
【０００４】
したがって、電池搭載機器の分野においては、簡単な構造で、かつできるだけ簡単な操作で電源をＯＦＦし、省電力化する方法が求められている。そのためには、機械的構造によるものが好ましく、一例として、例えば、以下のものが知られている。
【０００５】
例えば特許文献１に開示されたリモコン送信機１００は、図９（ａ）に示すように、略箱状の絶縁樹脂からなる筐体１０１の上面に操作手段１１０を備えている。この操作手段１１０は、下面にスイッチ接点が設けられた複数のキーが上下動可能に突出している。また、筐体１０１内には、電池や上下面に複数の配線パターンが形成された図示しない配線基板が収納されており、この配線基板の上下面に実装されたマイコン等の電子部品によって制御手段１２１や、発光ダイオード等の電子部品によって送信手段１２２が形成されている。
【０００６】
上記構成のリモコン送信機１００では、例えば電源の入／切用キー１１１や音量切換え用キー１１２等の所定キーを押圧操作すると、この個所のスイッチ接点の電気的接離が行われ、制御手段１２１がこれらの操作状態を検出するようになっている。そして、このとき、図９（ｂ）に示すように、あるキーが所定時間継続して操作されたときには、制御手段１２１が送信手段１２２からのリモコン信号の送信を停止させる。これによって、誤ってキーが長時間押圧され続けた場合でも、電池の消耗を防ぎ、長寿命化が図れるリモコン送信機を得ることができるようになっている。
【０００７】
また、例えば特許文献２に開示されたリモートコントローラ２００は、図１０に示すように、バッテリ２０１と、操作対象である図示しない機器本体の入／切を操作する電源スイッチ２１０と、電力供給回路２０２と、導通検知回路２０３と、操作入力部２０４と、機器本体に操作信号を送るリモコン信号送信部２０５と、リモコン信号送信部２０５に操作信号を伝送する制御回路２０６とを備えている。上記電源スイッチ２１０は、バッテリ２０１から電力が供給される入力端子２１１と、２系統の出力端子２１２・２１３とを備えている。
【０００８】
そして、電源スイッチ２１０は、図１１（ａ）（ｂ）（ｃ）（ｄ）に示すように、操作部材２１４が第２位置Ｐ２から第１位置Ｐ１に移動するとき、図１１（ｂ）（ｃ）に示すように、入力端子２１１と２系統の出力端子２１２・２１３うちの一方の出力端子２１３とが先に非導通になり、図１１（ｄ）に示すように、その後に入力端子２１１と他方の出力端子２１２とが非導通となるように配置されている。そして、制御回路２０６は、２系統の出力端子２１２・２１３のうち一方のみが入力端子２１１と非導通であることが検出されたとき、他方の出力端子２１２から供給される電力でリモコン信号送信部２０５に機器本体の電源を切る操作信号を送信させるようになっている。
【０００９】
この結果、リモートコントローラ２００では、操作対象の機器本体の電源がＯＦＦのとき、バッテリ２０１からの電力供給が遮断されており、操作待機状態におけるバッテリ２０１の消耗を抑制することができるものとなっている。
【先行技術文献】
【特許文献】
【００１０】
【特許文献１】特開２００６−５７２８号公報（２００６年１月５日公開）
【特許文献２】特開２０１１−２３３９６６号公報（２０１１年１１月１７日公開）
【特許文献３】特開平６−３３７１２１号公報（１９９４年１２月６日公開）
【発明の概要】
【発明が解決しようとする課題】
【００１１】
しかしながら、上記従来の特許文献１に開示されたリモコン送信機１００では、制御手段１２１が操作状態を監視しているので、リモコン送信機１００の未使用時においても電池は制御手段１２１に接続されており、僅かではあるが電力を消費している。このため、課題解決としては不十分である。
【００１２】
また、従来の特許文献２に開示されたリモートコントローラ２００では、リモートコントローラ２００による操作にてバッテリ２０１と制御回路２０６とを電気的に遮断することが可能であるが、機器本体にて電源を切った場合には、リモートコントローラ２００の電源はオンの状態を維持することになる。このため、リモートコントローラ２００における電源と制御回路との電力移動を完全に遮断することはできない。
【００１３】
したがって、リモートコントローラにおける電源と制御回路との電力移動を無くすために電池を抜き取るといった使用者による措置が考えられるが、現実的ではない。
【００１４】
ここで、電池搭載機器ではないが、電気ストーブの分野では、機械式のスイッチを有し、電気ストーブが転倒したかを判断する技術が知られている。
【００１５】
例えば特許文献３に開示された電気ストーブは、転倒か移動かを判断し、移動などの場合には転倒と判定せず、通電を停止しない使い勝手の良い電気ストーブを提供するものとなっている。具体的には、上記電気ストーブ３００は、図１２（ａ）（ｂ）に示すように、ヒータ３０１と、ヒータ３０１の通電・停止を決める通電スイッチと、通電スイッチのオン／オフ信号に応じてヒータ３０１の通電のオン／オフを制御する制御手段と、転倒を検出する転倒検出手段３０２と、この転倒検出手段３０２からの出力を所定時間計時するタイマ手段と、このタイマ手段からのタイムアップ信号があった場合には転倒と判定する転倒判定手段とを備えている。そして、転倒判定手段からの転倒確定信号を受けた制御手段は通電スイッチの状態に関わらずヒータ３０１をオフする構成としている。したがって転倒状態を検出し始めてからタイマ手段がタイムアップするまでの間連続して転倒信号が入力されなければ転倒と判定しないので、使用者が部屋内で移動させても転倒と誤判定されることはないものとなっている。これにより、簡単な構成の機械式スイッチにより、自動的に電気ストーブが転倒したかを判断できるようになっている。
【００１６】
しかしながら、上記電気ストーブ３００の転倒検出手段３０２は、電気ストーブ３００の転倒時にスイッチの導通が解除（オフ）されるようになっており、本願発明に必要な電池搭載機器を持ち上げたときに機械式スイッチが導通によりオンするようにすることは容易には考え出すことはできない。
【００１７】
本発明は、上記従来の問題点に鑑みなされたものであって、その目的は、使用者が自ら動作しなくても、簡単な構成により、待機時消費電力を低減化し、電池の長寿命化を図り得る電池搭載機器及びリモートコントローラを提供することにある。
【課題を解決するための手段】
【００１８】
本発明の電池搭載機器は、上記課題を解決するために、筐体の内部に電池と電池電力消耗部品とが搭載された電池搭載機器において、上記筐体を持ち上げたときに、上記電池と電池電力消耗部品との導通が確保されるオンとなる一方、上記筐体を載置面に載置したときに、上記電池と電池電力消耗部品との導通が遮断されるオフとなる機械式スイッチが設けられていることを特徴としている。尚、機械式スイッチとは、振動センサを用いないスイッチ、つまり非振動センサ式スイッチをいう。また、電池とは乾電池又はボタン電池等の１次電池及び蓄電池等の２次電池の両方を含む概念である。
【００１９】
上記の発明によれば、電池搭載機器には、筐体の内部に電池と電池電力消耗部品とが搭載されている。このような電池搭載機器では、従来、電池電力消耗部品を稼動させる必要のない待機時においても電池と電池電力消耗部品とが常時接続されていたので、電池の電力が僅かながら常に消費されていた。したがって、待機時には、電池と電池電力消耗部品との接続を遮断することが好ましいが、振動センサ式スイッチを用いたのでは、高価なものとなってしまう。
【００２０】
ここで、例えばリモートコントローラ等の電池搭載機器を備えた機器では、操作時には電池搭載機器を持ち上げて操作し、非操作時には電池搭載機器を載置面に載置しておくのが一般的である。
【００２１】
そこで、本発明では、筐体を持ち上げたときに、電池と電池電力消耗部品との導通が確保されるオンとなる一方、筐体を載置面に載置したときに、電池と電池電力消耗部品との導通が遮断されるオフとなる機械式スイッチを設けている。
【００２２】
これにより、使用者が自ら動作しなくても、操作時に電池搭載機器を持ち上げるだけで電池と電池電力消耗部品とを電気的に接続できる一方、待機時には、電池搭載機器を載置面に載置するだけで電池と電池電力消耗部品との電気的接続を遮断することができる。
【００２３】
また、本発明では、この目的のために、電池搭載機器の持ち上げ動作及び載置動作により作動する機械式スイッチを用いている。この結果、振動センサ式スイッチに比べてコストの低減を図ることができる。
【００２４】
したがって、使用者が自ら動作しなくても、簡単な構成により、待機時消費電力を低減化し、電池の長寿命化を図り得る電池搭載機器を提供することができる。
【００２５】
本発明の電池搭載機器では、前記機械式スイッチは、前記筐体の内部において隙間を有して互いに同一水平面上に設けられ、かつ一方が電池に接続され他方が電池消耗部品に接続された２つの導電板と、上記２つの導電板の隙間及び上記筐体の下面に設けられた開口部を移動自在に設けられた棒状の導電板接触部材とを備え、上記導電板接触部材は、上記２つの導電板の上側に配置されて隙間よりも寸法が大きい導電性の上拡大部と、上記上拡大部の下端から下方に延びて、上記隙間よりも寸法が小さい狭小部とを有する延設部とからなっていると共に、上記筐体を持ち上げたときに、導電板接触部材における延設部の下端が上記筐体の下面に設けられた開口部から突出するように、該導電板接触部材が自重により下方移動して上拡大部が隙間を介して２つの導電板に跨ることによって上記電池と電池電力消耗部品との導通が確保されるオンとなる一方、上記筐体を載置面に載置したときに、導電板接触部材における延設部の下端が載置面に当接することにより、導電板接触部材が押圧により上方移動して狭小部が２つの導電板の隙間に位置することによって上記電池と電池電力消耗部品との導通が遮断されてオフとなることが好ましい。
【００２６】
これにより、機械式スイッチは、筐体の内部において隙間を有して互いに同一水平面上に設けられ、かつ一方が電池に接続され他方が電池消耗部品に接続された２つの導電板と、２つの導電板の隙間及び上記筐体の下面に設けられた開口部を移動自在に設けられた棒状の導電板接触部材とを備えている。また、導電板接触部材は、２つの導電板の上側に配置されて隙間よりも寸法が大きい導電性の上拡大部と、上記上拡大部の下端から下方に延びて、上記隙間よりも寸法が小さい狭小部とを有する延設部とからなっている。
【００２７】
このため、電池搭載機器を使用するために筐体を持ち上げたときには、導電板接触部材における延設部の下端が上記筐体の下面に設けられた開口部から突出するように、該導電板接触部材が自重により下方移動する。このとき、上拡大部は隙間よりも寸法が大きいので、上拡大部が隙間を介して２つの導電板に懸架状態に跨る。これによって、上拡大部は導電性を有しているので、機械式スイッチがオンされ、電池と電池電力消耗部品との導通が確保される。
【００２８】
一方、電池搭載機器の使用が終了したときには、筐体を載置面に載置する。これにより、電池搭載機器の使用時に筐体の下面に設けられた開口部から突出していた導電板接触部材における延設部の下端が載置面に押圧され、導電板接触部材が上方移動する。このため、導電板接触部材における延設部の狭小部が２つの導電板の隙間に位置する。これによって、２つの導電板の間における導通が遮断されるので、機械式スイッチがオフされ、電池と電池電力消耗部品との導通が遮断される。
【００２９】
本発明の電池搭載機器では、前記導電板接触部材には、上拡大部の直下に設けられた狭小部の直下に、隙間よりも寸法が大きい導電性の下拡大部が設けられていることが好ましい。
【００３０】
すなわち、電池搭載機器を使用するために筐体を持ち上げたときに、使用者の手が導電板接触部材における延設部の下端に当接し、それによって、電池搭載機器の筐体を載置面に載置したときと同じ状態になって、機械式スイッチがオフ状態になってしまうことが考えられる。
【００３１】
そのような場合、本発明では、手で導電板接触部材における延設部の下端を押圧する。これにより、導電板接触部材が上方移動する。このとき、導電板接触部材には、上拡大部の直下に設けられた狭小部の直下に、隙間よりも寸法が大きい導電性の下拡大部が設けられているので、下拡大部の上端が隙間を介して２つの導電板に当接する。
【００３２】
この結果、機械式スイッチにおける導電板接触部材の筐体での配設位置が使用者の手に当たる位置であっても、導電板接触部材の下端を手で押し込むことによって、使用時には、２つの導電板の導通が確保され、電池と電池電力消耗部品との導通が確保され、電池搭載機器を使用可能とすることができる。
【００３３】
本発明の電池搭載機器では、前記上拡大部及び下拡大部は、球状になっていることが好ましい。
【００３４】
これにより、上拡大部及び下拡大部が球状になっていると、上拡大部の下端面及び下拡大部の上端面が２つの導電板の隙間に入り易い。また、電池搭載機器の使用時に、電池搭載機器を傾けて操作する場合であっても、球状である上拡大部及び下拡大部の球面に沿って回動及び摺動しながら２つの導電板に当接する。この結果、電池搭載機器を傾けて操作する場合であっても、２つの導電板の隙間における導通が継続されるので、使い勝手のよい電池搭載機器を提供することができる。
【００３５】
本発明の電池搭載機器では、前記上拡大部には、前記２つの導電板の隙間に嵌入可能な切り欠き部が形成されていることが好ましい。
【００３６】
すなわち、上拡大部が球状になっている場合に、電池搭載機器の傾斜角度が大きくなると、導電板接触部材は２つの導電板の隙間に懸架されているだけであるので、上拡大部の球面が滑って、２つの導電板の隙間における導通が外れる場合がある。
【００３７】
そこで、本発明では、上拡大部には、２つの導電板の隙間に嵌入可能な切り欠き部が形成されている。この結果、電池搭載機器の使用時に傾斜角度を大きくしていくと、やがて、切り欠き部が２つの導電板の隙間に嵌入される。このため、上拡大部は２つの導電板の隙間に嵌入された固定状態となる。この結果、２つの導電板の隙間における導通が確保された状態で、電池搭載機器の傾斜角度が大きくなっても導通状態が維持される。例えば、電池搭載機器の傾斜角度を９０度にしても導通状態を維持することが可能である。
【００３８】
したがって、電池搭載機器の傾斜角度が大きくなっても、２つの導電板の導通が確保され、電池搭載機器を使用することができるので、信頼性の高い電池搭載機器を提供することができる。
【００３９】
尚、この点、特許文献３に開示された電気ストーブの機械式スイッチでは、転倒したときには、つまり一定角度以上傾斜すれば直ちにスイッチが切り替わるが、本発明では、持ち上げた後、電池搭載機器の例えば９０度等、傾斜角度が大きくなっても、２つの導電板の導通が確保される。したがって、電気ストーブの機械式スイッチよりも優れている。
【００４０】
本発明の電池搭載機器では、前記機械式スイッチは、筐体を持ち上げるときに全部が片手に触れることのない少なくとも２箇所に設けられていることが好ましい。
【００４１】
例えば、電池搭載機器を使用するために筐体を持ち上げたときに、機械式スイッチの導電板接触部材における延設部の下端が使用者の手に当たる場合には、電池搭載機器の筐体を載置面に載置したときと同じ状態になって、機械式スイッチがオフ状態になってしまう。
【００４２】
このような場合、本発明では、機械式スイッチは、筐体を持ち上げるときに全部が片手に触れることのない少なくとも２箇所に設けられている。このため、少なくとも１箇所の機械式スイッチは、使用者の手に当たることがないので、筐体を持ち上げたときには、機械式スイッチがオンされ、電池と電池電力消耗部品との導通が確保される。
【００４３】
したがって、筐体を持ち上げたときには、機械式スイッチが確実にオンされ、電池と電池電力消耗部品との導通が確保される電池搭載機器を提供することができる。
【００４４】
本発明のリモートコントローラは、上記課題を解決するために、前記記載の電池搭載機器を備えたリモートコントローラであって、筐体の上面に操作部を備えていることを特徴としている。
【００４５】
上記の発明によれば、リモートコントローラには、電池搭載機器の筐体の上面に操作部が設けられている。
【００４６】
したがって、使用者が自ら動作しなくても、簡単な構成により、待機時消費電力を低減化し、電池の長寿命化を図り得る電池搭載機器を備えたリモートコントローラを提供することができる。
【発明の効果】
【００４７】
本発明の電池搭載機器は、以上のように、筐体を持ち上げたときに、電池と電池電力消耗部品との導通が確保されるオンとなる一方、上記筐体を載置面に載置したときに、上記電池と電池電力消耗部品との導通が遮断されるオフとなる機械式スイッチが設けられているものである。
【００４８】
本発明のリモートコントローラは、以上のように、前記記載の電池搭載機器を備えたリモートコントローラであって、筐体の上面に操作部を備えているものである。
【００４９】
それゆえ、使用者が自ら動作しなくても、簡単な構成により、待機時消費電力を低減化し、電池の長寿命化を図り得る電池搭載機器及びリモートコントローラを提供するという効果を奏する。
【図面の簡単な説明】
【００５０】
【図１】本発明における電池搭載機器の実施の一形態を示すものであって、電池搭載機器の構成を示すブロック図である。
【図２】上記電池搭載機器を備えたリモートコントローラの構成を示す断面図である。
【図３】上記電池搭載機器における機械式スイッチの構成を示す断面図である。
【図４】（ａ）は上記機械式スイッチにおける導電板の構成を示す平面図であり、（ｂ）は、上記機械式スイッチにおける導電板の変形例の構成を示す平面図である。
【図５】（ａ）は上記機械式スイッチの導電板接触部材における上拡大部に切り欠き部を有する場合に、電池搭載機器を垂直に持ち上げたときの機械式スイッチの導通状態を示す断面図であり、（ｂ）は上記上拡大部に切り欠き部を有する場合に、電池搭載機器を斜めに持ち上げたときの機械式スイッチの導通状態を示す断面図である。
【図６】（ａ）は上記機械式スイッチの導電板接触部材における上拡大部に切り欠き部を有しない場合に、電池搭載機器を持ち上げて９０度傾けたときのスイッチの導通状態を示す断面図であり、（ｂ）は上記上拡大部に切り欠き部を有する場合に、電池搭載機器を持ち上げて９０度傾けたときのスイッチの導通状態を示す断面図である。
【図７】上記導電板接触部材における上拡大部の切り欠き部の条件を説明するため断面図である。
【図８】上記機械式スイッチをオン・オフするときの流れを示すフローチャートである。
【図９】（ａ）は従来のリモコン送信機の構成を示す平面図であり、（ｂ）は上記従来のリモコン送信機の構成を示すブロック図である。
【図１０】従来の他のリモートコントローラの構成を示すブロック図である。
【図１１】（ａ）〜（ｄ）は、上記従来の他のリモートコントローラのスイッチの動作を示す断面図である。
【図１２】（ａ）（ｂ）は、従来の電気ストーブに設けられたスイッチの構成を示す断面図である。
【発明を実施するための形態】
【００５１】
本発明の一実施形態について図１〜図８に基づいて説明すれば、以下のとおりである。
【００５２】
本実施の形態の電池搭載機器を備えたリモートコントローラの構成について、図１及び図２に基づいて説明する。図１は電池搭載機器の構成を示すブロック図であり、図２は電池搭載機器を備えたリモートコントローラの構成を示す断面図である。
【００５３】
本実施の形態の電池搭載機器１０を備えたリモートコントローラ１は、図２に示すように、電池搭載機器１０における筐体１１の上面に操作部１ａを備えている。このリモートコントローラ１は、例えばテレビ用のリモートコントローラ１であり、ポリスチレン又はＡＢＳ等の絶縁樹脂製にてなる略箱状の筐体１１を有している。筐体１１の操作部１ａには、例えば電源の入／切用キー、チャンネル切換え用キー及び音量切換え用キー等の所定のキーが上下動可能に突出して設けられている。そして、これらのキーを押圧操作することによって、キーにおけるスイッチ接点の電気的接離が行われ、後述する制御回路１４がこれらの操作状態を検出する。そして、これらに対応した赤外線のリモコン信号が後述する赤外線ＬＥＤ１５から図示しない本体機器であるテレビに送信され、これにより、テレビの電源が入／切され、チャンネルが切換えられ、又は音量が増減されるようになっている。つまり、遠隔操作されるようになっている。
【００５４】
上記リモートコントローラ１における電池搭載機器１０の筐体１１の内部には、図１に示すように、電池１２と機械式スイッチ１３と、電池電力消耗部品としての制御回路１４及び赤外線ＬＥＤ１５が設けられている。
【００５５】
本実施の形態の電池搭載機器１０では、この機械式スイッチ１３は、筐体１１を持ち上げたときに、電池１２と制御回路１４及び赤外線ＬＥＤ１５との導通が確保されるオンとなる一方、筐体１１を載置面に載置したときに、電池１２と制御回路１４及び赤外線ＬＥＤ１５との導通が遮断されるオフとなるようになっている。
【００５６】
ここで、本実施の形態の機械式スイッチ１３は、図２に示すように、電池搭載機器１０における前後の２箇所に設けられている。これによって、少なくとも１箇所の機械式スイッチ１３は、使用時に使用者の手に当たることがないので、筐体１１を持ち上げたときには、機械式スイッチ１３がオンされ、電池１２と電池電力消耗部品である制御回路１４及び赤外線ＬＥＤ１５との導通が確保されるものとなっている。尚、本実施の形態では、機械式スイッチ１３は、電池搭載機器１０の前後の２箇所に設けられているが、本発明では必ずしもこれに限らず、機械式スイッチ１３は、筐体１１を持ち上げるときに全部が片手に触れることのない少なくとも２箇所に設けられていればよい。
【００５７】
上記機能を有する機械式スイッチ１３の詳細構造について、図３及び図４に基づいて説明する。図３は、電池搭載機器１０における機械式スイッチ１３の構成を示す断面図である。また、図４（ａ）は機械式スイッチにおける導電板の構成を示す平面図であり、図４（ｂ）は機械式スイッチにおける導電板の変形例の構成を示す平面図である。尚、図３においては、電池搭載機器１０における前後の２箇所の機械式スイッチ１３・１３を一緒に示しているが、これら２箇所の機械式スイッチ１３・１３の構成はいずれも同じである。
【００５８】
本実施の形態の機械式スイッチ１３は、図３に示すように、筐体１１の内部において隙間２１を有して互いに同一水平面上に設けられた２つの第１導電基板２２及び第２導電基板２３からなる導電板２０と、上記２つの第１導電基板２２及び第２導電基板２３の隙間２１、及び筐体１１の下面に設けられた開口部１１ａを移動自在に設けられた棒状の導電板接触部材３０とを備えている。
【００５９】
上記導電板２０は、一方の第２導電基板２３が電池１２に接続され、他方の第１導電基板２２が電池消耗部品である制御回路１４及び赤外線ＬＥＤ１５に接続されている。
【００６０】
上記導電板２０の平面形状は、図４（ａ）に示すように、第１導電基板２２及び第２導電基板２３が隙間２１を介して互いに線対称に向かい合った形状にてなっている。第１導電基板２２は平面形状がコの字状の基板２２ａと、該コの字の自由端同士を結ぶ導電性の架け渡し部材２２ｂとからなっている。また、第２導電基板２３は平面形状がコの字状の基板２３ａと、該コの字の自由端同士を結ぶ導電性の架け渡し部材２３ｂとからなっている。上記隙間２１の両側方には、ガイド部材２４・２４が設けられており、これによって、導電板接触部材３０が隙間２１から側方に外れるのを防止することができるものとなっている。
【００６１】
尚、上記導電板２０は、必ずしもこのような形状に限らず、例えば、図４（ｂ）に示すように、架け渡し部材２２ｂ・２３ｂを設けることなく、基板２２ａ・２３ａのみで構成することが可能である。その場合に、例えば、隙間２１の形状を円弧状にすることが可能である。これにより、架け渡し部材２２ｂ・２３ｂを設ける必要がないので、部品点数の削減を図ることができる。また、隙間２１を円弧状に形成することによって、後述するように、導電板接触部材３０の上拡大部３１及び下拡大部３３の球状形状に合わせることができ、上拡大部３１及び下拡大部３３と、第１導電基板２２及び第２導電基板２３との接触面積の増大を図って、両者の導通を良好なものとすることが可能である。
【００６２】
一方、上記導電板接触部材３０は、図３に示すように、２つの第１導電基板２２及び第２導電基板２３の上側に配置されて隙間２１よりも寸法が大きい導電性の上拡大部３１と、上拡大部３１の下端から下方に延びて、隙間２１よりも寸法が小さい狭小部３２とを有する延設部３４とからなっている。また、本実施の形態では、導電板接触部材３０には、上拡大部３１の直下に設けられた狭小部３２の直下に、隙間２１よりも寸法が大きい導電性の下拡大部３３が設けられている。そして、延設部３４は、下拡大部３３の直下にさらに連結棒３５と、該連結棒３５の直下に設けられた載置面接触部３６とを備えている。
【００６３】
上記構成の機械式スイッチ１３では、電池搭載機器１０を使用するために筐体１１を持ち上げたときには、導電板接触部材３０における延設部３４の下端が筐体１１の下面に設けられた開口部１１ａから突出するように、該導電板接触部材３０が自重により下方移動する。このとき、上拡大部３１は隙間２１よりも寸法が大きいので、上拡大部３１が隙間２１を介して２つの第１導電基板２２及び第２導電基板２３に懸架状態に跨る。これによって、上拡大部３１は導電性を有しているので、機械式スイッチ１３がオンされ、電池１２と電池電力消耗部品である制御回路１４及び赤外線ＬＥＤ１５との導通が確保される。
【００６４】
一方、電池搭載機器１０の使用が終了したときには、筐体１１を載置面に載置する。これにより、電池搭載機器１０の使用時に筐体１１の下面に設けられた開口部１１ａから突出していた導電板接触部材３０における延設部３４の下端が載置面に押圧され、導電板接触部材３０上方移動する。このため、導電板接触部材３０における延設部３４の狭小部３２が２つの第１導電基板２２及び第２導電基板２３の隙間２１に位置する。これによって、２つの第１導電基板２２及び第２導電基板２３の間における導通が遮断されるので、機械式スイッチ１３がオフされ、電池１２と電池電力消耗部品である制御回路１４及び赤外線ＬＥＤ１５との導通が遮断される。
【００６５】
ここで、本実施の形態の電池搭載機器１０では、図３に示すように、導電板接触部材３０には、上拡大部３１の直下に設けられた狭小部３２の直下に、隙間２１よりも寸法が大きい導電性の下拡大部３３が設けられている。
【００６６】
すなわち、電池搭載機器１０を使用するために筐体１１を持ち上げたときに、使用者の手が導電板接触部材３０における延設部３４の下端に当接し、それによって、電池搭載機器１０の筐体１１を載置面に載置したときと同じ状態になって、機械式スイッチ１３がオフ状態になってしまうことが考えられる。
【００６７】
そのような場合、本実施の形態では、手で導電板接触部材３０における延設部３４の下端を押圧することが可能である。これにより、導電板接触部材３０が上方移動する。このとき、導電板接触部材３０には、上拡大部３１の直下に設けられた狭小部３２の直下に、隙間２１よりも寸法が大きい導電性の下拡大部３３が設けられているので、下拡大部３３の上端が隙間２１を介して２つの第１導電基板２２及び第２導電基板２３に当接する。
【００６８】
この結果、機械式スイッチ１３における導電板接触部材３０の筐体１１での配設位置が使用者の手に当たる位置であっても、導電板接触部材３０の載置面接触部３６の下端を手で押し込むことによって、使用時には、２つの第１導電基板２２及び第２導電基板２３の導通が確保され、電池１２と電池電力消耗部品である制御回路１４及び赤外線ＬＥＤ１５との導通が確保され、電池搭載機器１０を使用可能とすることができる。
【００６９】
また、本施の形態の電池搭載機器１０では、図３に示すように、上拡大部３１及び下拡大部３３が球状にてなっている。尚、球状とは、球体、楕円体の他、半球体、半楕円体を含むが概念である。すなわち、隙間に嵌る部分が球面状になっていればよい。
【００７０】
このように、上拡大部３１及び下拡大部３３が球状になっていると、上拡大部３１の下端面及び下拡大部３３の上端面が２つの第１導電基板２２及び第２導電基板２３の隙間２１に入り易い。さらに、前述したように、第１導電基板２２及び第２導電基板２３の隙間２１側の形状を円弧状に形成することによって、上拡大部３１又は下拡大部３３と第１導電基板２２及び第２導電基板２３との接触面積が増加する。このため、機械式スイッチ１３のオンを確実に維持することができる。また、電池搭載機器１０の使用時に、電池搭載機器１０を傾けて操作する場合であっても、球状にてなる上拡大部３１及び下拡大部３３の球面に沿って回動及び摺動しながら２つの第１導電基板２２及び第２導電基板２３に当接する。この結果、電池搭載機器１０を傾けて操作する場合であっても、２つの第１導電基板２２及び第２導電基板２３の隙間２１における導通が継続されるので、使い勝手のよい電池搭載機器１０を提供することができる。
【００７１】
尚、本実施の形態では、上拡大部３１及び下拡大部３３が球状にてなっているが、本発明においては、必ずしもこれに限らない。例えば、上拡大部３１及び下拡大部３３を円錐状にすることができる。ただし、電池搭載機器１０を斜めに持ち上げることを考慮すると、球状が好ましい。
【００７２】
さらに、本実施の形態の電池搭載機器１０では、図５（ａ）（ｂ）に示すように、上拡大部３１には、２つの第１導電基板２２及び第２導電基板２３の隙間２１に嵌入可能な切り欠き部３１ａが形成されている。この切り欠き部３１ａは、例えば、球を平面にて切り取ったものからなっている。
【００７３】
すなわち、上拡大部３１が球状になっている場合に、図６（ａ）に示すように、電池搭載機器１０の傾斜角度が例えば９０度程度に大きくなると、導電板接触部材３０は２つの第１導電基板２２及び第２導電基板２３の隙間２１に懸架されているだけであるので、上拡大部３１の球面が滑って、２つの第１導電基板２２及び第２導電基板２３の隙間２１における導通が外れる場合がある。
【００７４】
そこで、本実施の形態では、図５（ａ）に示すように、上拡大部３１には、２つの第１導電基板２２及び第２導電基板２３の隙間２１に嵌入可能な切り欠き部３１ａが形成されている。この結果、図５（ｂ）に示すように、電池搭載機器１０の使用時に傾斜角度を大きくしていくと、上拡大部３１が回転し、やがて、狭小部３２が例えば第２導電基板２３に接触する。本実施の形態では、狭小部３２が例えば第２導電基板２３に接触する前に、上拡大部３１の切り欠き部３１ａが２つの第１導電基板２２及び第２導電基板２３の隙間２１に嵌入される。このため、上拡大部３１は２つの第１導電基板２２及び第２導電基板２３の隙間２１に嵌入された固定状態となる。この結果、２つの第１導電基板２２及び第２導電基板２３の隙間２１における導通が確保された状態で、電池搭載機器１０の傾斜角度が大きくなっても導通状態が維持される。
【００７５】
詳細には、図６（ｂ）に示すように、電池搭載機器１０の傾斜角度を９０度にしても導通状態を維持することが可能である。
【００７６】
したがって、電池搭載機器１０の傾斜角度が大きくなっても、第１導電基板２２及び第２導電基板２３の導通が確保され、電池搭載機器１０を使用することができるので、信頼性の高い電池搭載機器１０を提供することができる。
【００７７】
ここで、このような機能を確保するために、図７に示すように、斜め使用時に上拡大部３１が回転して狭小部３２が例えば第２導電基板２３に接触するまでに動く距離をＲ１とし、導電板接触部材３０の上拡大部３１の下端が鉛直に第１導電基板２２に接触する位置から切り欠き部３１ａまでの距離をＲ２とすると、
Ｒ１＞Ｒ２
となっていることが好ましい。これによって、導電板接触部材３０を垂直にまで傾けてもずれない構造にすることが可能である。
【００７８】
最後に、本実施の形態の機械式スイッチ１３におけるオン・オフさせるときの動作について、図８に基づいて説明する。図８は機械式スイッチ１３をオン・オフさせるときの流れを示すフローチャートである。
【００７９】
図８に示すように、最初に、リモートコントローラ１を手で持ち上げる（Ｓ１）。このとき、手が導電板接触部材３０の載置面接触部３６に接触しているか否かを判断する（Ｓ２）。Ｓ２において、手が載置面接触部３６に接触しているときには、下拡大部３３の上端が導電板２０に接触して導通する（Ｓ３）。一方、Ｓ２において、手が載置面接触部３６に接触していないときには、上拡大部３１の下端が導電板２０に接触して導通する（Ｓ４）。
【００８０】
次に、リモートコントローラ１の使用が終了したときには、リモートコントローラ１を載置する（Ｓ５）。このとき、導電板接触部材３０の載置面接触部３６が載置面に接触しているか否かを判断する（Ｓ６）。Ｓ６において、載置面接触部３６が載置面に接触している場合には、リモートコントローラ１の機械式スイッチ１３はオフとなって、非導通となる（Ｓ７）。つまり、電池１２と電池電力消耗部品である制御回路１４及び赤外線ＬＥＤ１５との導通が遮断される。尚、Ｓ６において、載置面接触部３６が載置面に接触していない場合には、Ｓ３又はＳ４の状態となる。
【００８１】
このように、本実施の形態の電池搭載機器１０には、筐体１１の内部に電池１２と電池電力消耗部品である制御回路１４及び赤外線ＬＥＤ１５とが搭載されている。尚、電池１２とは乾電池又はボタン電池等の１次電池及び蓄電池等の２次電池の両方を含む概念である。このような電池搭載機器１０では、従来、電池電力消耗部品を稼動させる必要のない待機時においても電池と電池電力消耗部品とが常時接続されていたので、電池の電力が僅かながら常に消費されていた。したがって、待機時には、電池と電池電力消耗部品との接続を遮断することが好ましいが、振動センサ式スイッチを用いたのでは、高価なものとなってしまう。
【００８２】
ここで、例えばリモートコントローラ１等の電池搭載機器１０を備えた機器では、操作時には電池搭載機器１０を持ち上げて操作し、非操作時には電池搭載機器１０を載置面に載置しておくのが一般的である。
【００８３】
そこで、本実施の形態では、筐体１１を持ち上げたときに、電池１２と電池電力消耗部品である制御回路１４及び赤外線ＬＥＤ１５との導通が確保されるオンとなる一方、筐体１１を載置面に載置したときに、電池１２と電池電力消耗部品である制御回路１４及び赤外線ＬＥＤ１５との導通が遮断されるオフとなる機械式スイッチ１３が設けられている。尚、機械式スイッチ１３とは、振動センサを用いないスイッチ、つまり非振動センサ式スイッチをいう。
【００８４】
これにより、使用者が自ら動作しなくても、操作時に電池搭載機器１０を持ち上げるだけで電池１２と電池電力消耗部品である制御回路１４及び赤外線ＬＥＤ１５とを電気的に接続できる。一方、待機時には、電池搭載機器１０を載置面に載置するだけで電池１２と電池電力消耗部品との電気的接続を遮断することができる。
【００８５】
また、本実施の形態では、待機時消費電力を低減化するために、電池搭載機器１０の持ち上げ動作及び載置動作により作動する機械式スイッチ１３を用いている。この結果、振動センサ式スイッチに比べてコストの低減を図ることができる。
【００８６】
したがって、使用者が自ら動作しなくても、簡単な構成により、待機時消費電力を低減化し、電池の長寿命化を図り得る電池搭載機器１０を提供することができる。
【００８７】
また、本実施の形態の電池搭載機器１０では、機械式スイッチ１３は、筐体１１の内部において隙間２１を有して互いに同一水平面上に設けられ、かつ一方が電池１２に接続され他方が電池消耗部品である制御回路１４及び赤外線ＬＥＤ１５に接続された２つの第１導電基板２２及び第２導電基板２３からなる導電板２０と、２つの第１導電基板２２及び第２導電基板２３の隙間２１及び筐体１１の下面に設けられた開口部１１ａを移動自在に設けられた棒状の導電板接触部材３０とを備えている。また、導電板接触部材３０は、２つの第１導電基板２２及び第２導電基板２３の上側に配置されて隙間２１よりも寸法が大きい導電性の上拡大部３１と、上拡大部３１の下端から下方に延びて、隙間２１よりも寸法が小さい狭小部３２とを有する延設部３４とからなっている。
【００８８】
これによって、電池搭載機器１０を使用するために筐体を持ち上げたときには、上拡大部３１が隙間２１を介して２つの第１導電基板２２及び第２導電基板２３に懸架状態に跨る。このため、機械式スイッチ１３がオンされ、電池と電池電力消耗部品との導通が確保される。機械式スイッチ１３がオンされ、電池１２と電池電力消耗部品である制御回路１４及び赤外線ＬＥＤ１５との導通が確保される。
【００８９】
一方、電池搭載機器１０の使用が終了したときには、筐体を載置面に載置する。これにより、２つの第１導電基板２２及び第２導電基板２３の間における導通が遮断されるので、機械式スイッチ１３がオフされ、電池１２と電池電力消耗部品である制御回路１４及び赤外線ＬＥＤ１５との導通が遮断される。
【００９０】
また、本実施の形態の電池搭載機器１０は、導電板接触部材３０には、上拡大部３１の直下に設けられた狭小部３２の直下に、隙間２１よりも寸法が大きい導電性の下拡大部３３が設けられている。
【００９１】
この結果、機械式スイッチ１３における導電板接触部材３０の筐体１１での配設位置が使用者の手に当たる位置であっても、導電板接触部材３０の下端を手で押し込むことによって、使用時には、２つの第１導電基板２２及び第２導電基板２３の導通が確保され、電池と電池電力消耗部品である制御回路１４及び赤外線ＬＥＤ１５との導通が確保され、電池搭載機器１０を使用可能とすることができる。
【００９２】
また、本実施の形態の電池搭載機器１０では、上拡大部３１及び下拡大部３３は、球状になっている。
【００９３】
これにより、上拡大部３１の下端面及び下拡大部３３の上端面が２つの第１導電基板２２及び第２導電基板２３の隙間２１に入り易い。また、電池搭載機器１０を傾けて操作する場合であっても、２つの第１導電基板２２及び第２導電基板２３の隙間２１における導通が継続されるので、使い勝手のよい電池搭載機器１０を提供することができる。
【００９４】
また、本実施の形態の電池搭載機器１０では、上拡大部３１には、２つの第１導電基板２２及び第２導電基板２３の隙間２１に嵌入可能な切り欠き部３１ａが形成されている。
【００９５】
したがって、電池搭載機器１０の傾斜角度が大きくなっても、２つの第１導電基板２２及び第２導電基板２３の導通が確保され、電池搭載機器１０を使用することができるので、信頼性の高い電池搭載機器１０を提供することができる。
【００９６】
また、本実施の形態の電池搭載機器１０では、機械式スイッチ１３は、筐体１１を持ち上げるときに全部が片手に触れることのない少なくとも２箇所に設けられている。
【００９７】
したがって、筐体１１を持ち上げたときには、機械式スイッチ１３が確実にオンされ、電池１２と電池電力消耗部品である制御回路１４及び赤外線ＬＥＤ１５との導通が確保される電池搭載機器１０を提供することができる。
【００９８】
また、本実施の形態のリモートコントローラ１は、本実施の形態の電池搭載機器１０を備えたリモートコントローラであって、筐体１１の上面に操作部１ａを備えている．
したがって、使用者が自ら動作しなくても、簡単な構成により、待機時消費電力を低減化し、電池１２の長寿命化を図り得る電池搭載機器１０を備えたリモートコントローラ１を提供することができる。
【００９９】
尚、本発明は、上述した実施形態に限定されるものではなく、請求項に示した範囲で種々の変更が可能であり、本実施の形態にそれぞれ開示された技術的手段を適宜組み合わせて得られる実施形態についても本発明の技術的範囲に含まれる。
【産業上の利用可能性】
【０１００】
本発明は、筐体の内部に電池と電池電力消耗部品とが搭載された電池搭載機器及びリモートコントローラに関するものであり、リモコンを始め、ワイヤレスマウス、又は携帯電話及びスマートホン等の電池を内蔵した電池搭載機器に適用できる。
【符号の説明】
【０１０１】
１        リモートコントローラ
１ａ      操作部
１０        電池搭載機器
１１        筐体
１１ａ      開口部
１２        電池
１３        機械式スイッチ
１４        制御回路（電池電力消耗部品）
１５        赤外線ＬＥＤ（電池電力消耗部品）
２０        導電板
２１        隙間
２２        第１導電基板（導電板）
２３        第２導電基板（導電板）
３０        導電板接触部材
３１        上拡大部
３２        狭小部（延設部）
３３        下拡大部（延設部）
３４        延設部
３５        連結棒（延設部）
３６        載置面接触部（延設部）
【図１】
2014011508.tif 000003
【図２】
2014011508.tif 000004
【図３】
2014011508.tif 000005
【図４】
2014011508.tif 000006
【図５】
2014011508.tif 000007
【図７】
2014011508.tif 000008
【図８】
2014011508.tif 000009
【図９】
2014011508.tif 000010
【図１０】
2014011508.tif 000011
【図１１】
2014011508.tif 000012
【図１２】
2014011508.tif 000013
【図６】
2014011508.tif 000014